(57)【要約】      （修正有）【課題】軽量でも安定させる事が出来る様にする多段、回転式フラワースタンドの提供。【解決手段】外形状を特定しないステージを、ツリー状に多段に配し組立、分解が簡便に出来る様に、又回転の出来る様にステージの中心をパイプ状にし、メーンポールに差込み、段間にハーフポールを挟み込んで固定し、水はけを良好にする為及び、移動時の軽量化の為に、平面に孔の開いた、回転する構造を特徴とする多段ステージを有し、メーンポール、ハーフポールの長さを変える事に依り高さ、ステージ間隔が変えられるフラワースタンド。多段ステージを上部〜下部に小〜大に配置し重量の付くものを下部に陳列，配列出来る構造にする。【選択図】図１
0003119818.tif 000002
【実用新案登録請求の範囲】
【請求項１】
多段ステージを，組立，分解が簡便なツリー状に配したものである。
【請求項２】
ステージが多段のものに，簡便に回転出来る構造にしたものである。
【請求項３】
ステージは，水はけを良好にする為及び，移動時の軽量化を図る為平面に隙間を有する構造にしたものある。
【請求項４】
ステージの回転は，ステージの中心をパイプ状にしメインポールに差込，段間にハーフポールを差込んでボルト等にて固定し，回転し易く出来る様にしたものである。
【請求項５】
メインポール，ハーフポールを変える事に依りステージの高さ，間隔を変える事が出来る様にしたものである。
【請求項６】
ヘッドハットは，形状問わずポールに固定したものである。
【請求項７】
スタンドベースは，形状問わず転倒防止の為固定用孔を設けたものである。
【考案の詳細な説明】
【技術分野】
【０００１】本考案は，大小花木，観葉植物鉢，フラワーポット，プランターを見栄えよく陳列，配列し観賞出来る様に，且つ手入れを容易に出来る様にしたものである。
【背景技術】
【０００２】従来多段のものは，開発されているが，簡便回転出来るものは開発されていない。
【考案の開示】
【考案が解決しようとする課題】
【０００３】安定させるため重量が付，コスト増となるため軽量でも安定させることが出来る様にする。
【考案を解決しようとする手段】
【０００４】多段ステージを上部〜下部に小〜大に成る様ツリー状に配し下部に成るに従い重量の付くものを陳列，配列出来る様にする。
【０００５】スタンドベースは安定できる広さを取り，且つ釘等にて固定出来る孔を設ける。
【０００６】スタンドベースと最下部ステージの間隔は最小とし安定する様にする。
【０００７】使用材料は，軽量化を図る。
【考案の効果】
【０００８】安定して回転させることが出来る。
【０００９】安価に製作出来る。
【００１０】小型のものの製作は，設備が少なくて済み大型設備はいらない。
【考案を実施するための最良の形態】
【実施例】
【００１１】市販鋼材料にて製作し必要に応じ塗装，メッキを施した製品。【００１２】プラスチックのリサイクル品使用射出成形品。【００１３】アルミニューム，ブロンズ，鋼鋳物の鋳造品。【００１４】コンクリート，窯業製品。
【産業上の利用可能性】
【００１５】何れの実施例でも単一業種ではなく，２業種以上が関る産業と成る。【００１６】一戸建住宅，マンション，公共施設等需要が見込まれ産業拡大が望める。
【図１】
0003119818.tif 000003
【図２】
0003119818.tif 000004
【手続補正書】
【提出日】平成17年8月6日(2005.8.6)
【手続補正１】
【補正対象書類名】実用新案登録請求の範囲
【補正対象項目名】全文
【補正方法】変更
【補正の内容】
【実用新案登録請求の範囲】
【請求項１】
外形状を特定しないステージを，ツリー状に多段に配し組立，分解が簡便に出来る様に又，回転の出来る様にする為にステージの中心をパイプ状にし，メーンポールに差込み，段間にハーフポールを挟み込んで固定した構造を有するフラワースタンド。
【請求項２】
多段ステージにて回転する構造を有することを特徴とする請求項１記載のフラワースタンドは水はけを良好にする為及び，移動時の軽量化の為平面は，孔の開いたステージ。
【請求項３】
多段ステージにて回転する構造を有することを特徴とする請求項１記載のフラワースタンドは，メーンポール，ハーフポールの長さを変える事に依り高さ，間隔が変えられる構造を有している。
【手続補正２】
【補正対象書類名】明細書
【補正対象項目名】全文
【補正方法】変更
【補正の内容】
【考案の詳細な説明】
【技術分野】
【０００１】本考案は，大小花木，観葉植物鉢，フラワーポット，プランターを見栄えよく陳列，配列し観賞出来る様に，且つ手入れを容易に出来る様にしたものである。
【背景技術】
【０００２】従来多段のものは，開発されているが，簡便回転出来るものは開発されていない。
【考案の開示】
【考案が解決しようとする課題】
【０００３】安定させるため重量が付，コスト増となるため軽量でも安定させることが出来る様にする。
【考案を解決しようとする手段】
【０００４】多段ステージを上部〜下部に小〜大に成る様ツリー状に配し下部に成るに従い重量の付くものを陳列，配列出来る様にする。
【０００５】スタンドベースは安定できる広さを取り，且つ釘等にて固定出来る孔を設ける。
【０００６】スタンドベースと最下部ステージの間隔は最小とし安定する様にする。
【０００７】使用材料は，軽量化を図る。
【考案の効果】
【０００８】安定して回転させることが出来る。
【０００９】安価に製作出来る。
【００１０】小型のものの製作は，設備が少なくて済み大型設備はいらない。
【考案を実施するための最良の手段】
【実施例】
【００１１】市販鋼材料にて製作し必要に応じ塗装，メッキを施した製品。【００１２】プラスチックのリサイクル品使用射出成形品。【００１３】アルミニューム，ブロンズ，鋼鋳物の鋳造品。【００１４】コンクリート，窯業製品。
【産業上の利用可能性】
【００１５】何れの実施例でも単一業種ではなく，２業種以上が関る産業と成る。【００１６】一戸建住宅，マンション，公共施設等需要が見込まれ産業拡大が望める。
【図面の簡単な説明】
【００１７】
【図１】    平面図
【図２】    正面図
【図３】    左側面図
【図４】    右側面図
【図５】    背面図
【図６】    底面図
【符号の説明】
【００１８】
【１】  トップハット
【２〜４】
ステージ
【５】  スタンドベース
【イ】
メインポール
【ロ〜ニ】
ハーフポール
【ａ】
ボルト
【ｂ】
固定孔
【手続補正３】
【補正対象書類名】図面
【補正対象項目名】全図
【補正方法】変更
【補正の内容】
【図１】
0003119818.tif 000005
【図２】
0003119818.tif 000006
【図３】
0003119818.tif 000007
【図４】
0003119818.tif 000008
【図５】
0003119818.tif 000009
【図６】
0003119818.tif 000010
【手続補正書】
【提出日】平成17年11月29日(2005.11.29)
【手続補正１】
【補正対象書類名】実用新案登録請求の範囲
【補正対象項目名】全文
【補正方法】変更
【補正の内容】
【実用新案登録請求の範囲】
【請求項１】
外形状を特定しないステージを，ツリー状に多段に配し組立，分解が簡便に出来る様に又，回転の出来る様にする為にステージの中心をパイプ状にし，メーンポールに差込み，段間にハーフポールを挟み込んで固定した構造を有するフラワースタンド。
【請求項２】
水はけを良好にする為及び，移動時の軽量化の為に，平面に孔の開いた，回転する構造を特徴とする多段ステージを有する，請求項１のフラワースタンド。
【請求項３】
メーンポール，ハーフポールの長さを変える事に依り高さ，ステージ間隔が変えられる構造を有している請求項１のフラワースタンド。